(57)【要約】【課題】  ボルトの余長に拘らず締結作業を容易且つ確実に行うことができる緩み止めナットを提供する。【解決手段】  内周面に雌ねじ部が形成された中空筒状の本体１０と、基端側が本体１０の内周面に固定され、先端側が本体１０から突出する螺旋状のコイルばね２０とを備え、コイルばね２０の螺旋状の先端側から挿入されたボルトが、コイルばね２０および雌ねじ部の双方に螺合するように構成された緩み止めナット１。【選択図】  図１
2020070810.tif 000002
【特許請求の範囲】
【請求項１】
内周面に雌ねじ部が形成された中空筒状の本体と、
基端側が前記本体に固定され、先端側が前記本体から突出する螺旋状のコイルばねとを備え、
前記コイルばねの先端側から捻じ込んだボルトが、前記コイルばねおよび前記雌ねじ部の双方に螺合するように構成された緩み止めナット。
【請求項２】
前記コイルばねは、螺旋状の先端から基端側に屈曲して前記本体の外周面に沿って延びる折り返し部と、前記折り返し部から屈曲して前記本体の外方に張り出す開放操作部とを備える請求項１に記載の緩み止めナット。
【請求項３】
前記本体は、外周面にフランジ部が設けられ、前記フランジ部に切欠部が形成されており、
前記コイルばねは、前記開放操作部が前記切欠部に配置されている請求項２に記載の緩み止めナット。
【請求項４】
前記本体の端面には、前記コイルばねの基端側を収容可能な溝状の収容部が形成されている請求項１から３のいずれかに記載の緩み止めナット。
【請求項５】
基礎コンクリートに埋設されたアンカーボルトが設置面から突出する雄ねじ部を、構造物が備えるベースプレートの貫通孔に挿通し、ナットの螺合により設置面に固定された設置構造物を補修する方法であって、
アンカーボルトの雄ねじ部に螺合された既存のナットを取り外す工程と、
請求項１から４のいずれかに記載の緩み止めナットを、前記コイルばねの螺旋状の先端側から前記アンカーボルトに螺合する工程とを備える設置構造物の補修方法。
【発明の詳細な説明】
【技術分野】
【０００１】
本発明は、緩み止めナットおよび設置構造物の補修方法に関する。
【背景技術】
【０００２】
締結後の緩みを防止する従来のナットとして、例えば、特許文献１に開示された回転戻り止めナットが知られている。この回転戻り止めナットは、ナットの端面にスプリングが固定されており、ナットから突出するボルトの余長部分をスプリングに螺合させることにより、ナットの逆方向の回転が阻止されて、ナットの緩み止め機能を発揮する。
【先行技術文献】
【特許文献】
【０００３】
【特許文献１】特開２０１１−５２７６７号公報
【発明の概要】
【発明が解決しようとする課題】
【０００４】
上記従来の回転戻り止めナットは、ボルトとスプリングとを螺合させるためにボルトの余長部分を必要とすることから、ボルトの余長が少ない場合や、余長が存在しない場合には、十分な緩み止め効果が得られないという問題があった。
【０００５】
このような問題は、アンカーボルトにより設置面に固定された構造物を補修する際に、顕著となっている。すなわち、基礎コンクリートに埋設されたアンカーボルトにおける設置面から突出する雄ねじ部を、フェンス支柱等の構造物が備えるベースプレートの貫通孔に挿通し、ナットの螺合により設置面に固定された設置構造物については、ボルト部の突出長さが不足することによる損傷が散見されている。このような設置構造物を補修する際には、ナットを交換してもボルト部との掛かり長さが依然として不足するため、アンカーボルトを再施工してベースプレートの位置をずらす必要があり、補修作業に長時間を要するという問題があった。
【０００６】
そこで、本発明は、ボルトの余長に拘らず締結作業を容易且つ確実に行うことができる緩み止めナットの提供を目的とし、更に、設置構造物の補修作業を効率良く行うことができる設置構造物の補修方法の提供を目的とする。
【課題を解決するための手段】
【０００７】
本発明の前記目的は、内周面に雌ねじ部が形成された中空筒状の本体と、基端側が前記本体に固定され先端側が前記本体から突出する螺旋状のコイルばねとを備え、前記コイルばねの先端側から捻じ込んだボルトが、前記コイルばねおよび前記雌ねじ部の双方に螺合するように構成された緩み止めナットにより達成される。
【０００８】
この緩み止めナットにおいて、前記コイルばねは、螺旋状の先端から基端側に屈曲して前記本体の外周面に沿って延びる折り返し部と、前記折り返し部から屈曲して前記本体の外方に張り出す開放操作部とを備えることが好ましい。前記本体は、外周面にフランジ部が設けられ、前記フランジ部に切欠部が形成されていることが好ましく、前記コイルばねは、前記開放操作部が前記切欠部に配置されていることが好ましい。
【０００９】
前記本体の端面には、前記コイルばねの基端側を収容可能な溝状の収容部が形成されていることが好ましい。
【００１０】
また、本発明の前記目的は、基礎コンクリートに埋設されたアンカーボルトが設置面から突出する雄ねじ部を、構造物が備えるベースプレートの貫通孔に挿通し、ナットの螺合により設置面に固定された設置構造物を補修する方法であって、アンカーボルトの雄ねじ部に螺合された既存のナットを取り外す工程と、前記緩み止めナットを、前記コイルばねの螺旋状の先端側から前記アンカーボルトに螺合する工程とを備える設置構造物の補修方法により達成される。
【発明の効果】
【００１１】
本発明によれば、ボルトの余長に拘らず締結作業を容易且つ確実に行うことができる緩み止めナットを提供することができ、更に、設置構造物の補修作業を効率良く行うことができる設置構造物の補修方法を提供することができる。
【図面の簡単な説明】
【００１２】
【図１】本発明の一実施形態に係る緩み止めナットの正面図である。
【図２】図１に示す緩み止めナットの底面図である。
【図３】図１に示す緩み止めナットの分解斜視図である。
【図４】本発明の一実施形態に係る設置構造物の補修方法を説明するための工程断面図である。
【図５】本発明の他の実施形態に係る緩み止めナットの本体を示す斜視図である。
【図６】図５に示す緩み止めナットの本体の断面図である。
【発明を実施するための形態】
【００１３】
以下、本発明の実施の形態について、添付図面を参照して説明する。図１は、本発明の一実施形態に係る緩み止めナットの正面図である。また、図２および図３は、それぞれ図１に示す緩み止めナットの底面図および分解斜視図である。図１から図３に示すように、緩み止めナット１は、本体１０およびコイルばね２０を備えている。
【００１４】
本体１０は、内周面に雌ねじ部１５を有する中空筒状に形成されている。本体１０の外周面には、断面多角形状に形成されたナット部１１と、ナット部１１の先端側に設けられた断面円形の挿入部１３と、ナット部１１と挿入部１３との間に介在されて挿入部１３よりも大径のフランジ部１２とを備えている。
【００１５】
フランジ部１２は、先端側の一部を切り欠いて形成された切欠部１４を有している。切欠部１４は、フランジ部１２と共に挿入部１３を切り欠くようにして、挿入部１３の先端まで軸方向に沿って形成されている。
【００１６】
コイルばね２０は、螺旋状の基端側が径方向外方に屈曲して取付部２３が形成されている。取付部２３は、挿入部１３に形成された貫通孔１３ａに内面側から挿入されており、コイルばね２０の螺旋状の先端側が本体１０から突出した状態で、カシメ等により固定されている。
【００１７】
また、コイルばね２０は、螺旋状の先端から基端側に屈曲して本体１０の外周面に沿って延びる折り返し部２１と、折り返し部２１の端部から本体１０の径方向外方に屈曲して本体１０の外方に張り出す開放操作部２２とを備えている。折り返し部２１の端部はフランジ部１２まで延びており、開放操作部２２は、フランジ部１２の切欠部１４に配置されている。
【００１８】
コイルばね２０のコイル径、コイルピッチおよび巻き方向は、本体１０に形成された雌ねじ部１５のねじ径、ねじピッチおよびねじ方向にそれぞれ略一致しており、コイルばね２０の螺旋状の先端側から捻じ込んだボルトが、コイルばね２０および雌ねじ部１５の双方に螺合するように構成されている。これにより、ボルトと緩み止めナット１との掛かり長さを十分確保することができると共に、緩み止めナット１が緩む方向に回転しようとすると、コイルばね２０にはコイル径を縮径させる方向の力が作用して、コイルばね２０の螺合部分がボルトに密着し、緩み止めナット１の緩みが防止される。したがって、ボルトの余長（緩み止めナット１の基端面からの突出長さ）が少ない場合や、余長が存在しない場合でも、ボルトと緩み止めナット１との締結状態を長期間良好に維持することができる。
【００１９】
本実施形態の緩み止めナット１の用途は、特に制限されるものではないが、図４に示すように、フェンス支柱等の設置構造物の補修に好適に使用することができる。図４（ａ）に示すように、基礎コンクリート３０に埋設されたアンカーボルト３１が設置面３０ａから突出する雄ねじ部３１ａを、フェンス支柱からなる構造物３２が備えるベースプレート３３の貫通孔３３ａに挿通し、従来のナット３４の螺合により設置面３０ａに固定された設置構造物を補修する際には、まず、アンカーボルト３１の雄ねじ部３１ａに螺合された既存のナット３４をワッシャ３５と共に取り外す。
【００２０】
この後、図４（ｂ）に示すように、アンカーボルト３１の雄ねじ部３１ａに対して、緩み止めナット１をコイルばね２０の先端側から矢示方向に挿入し、コイルばね２０および本体１０の雌ねじ部１５（図１参照）を、雄ねじ部３１ａに螺合させる。これにより、本体１０の円筒部１３がベースプレート３３の貫通孔３３ａ内に収容され、フランジ部１２が貫通孔３３ａの周縁部に当接して、ベースプレート３３が固定される。こうして、設置構造物の補修作業が完了する。貫通孔３３ａの径が小さいために円筒部１３を貫通孔３３ａ内に収容できない場合には、既存のナット３４を取り外した後に、工具等を用いて貫通孔３３ａの穴径を広げることができる。
【００２１】
上述した設置構造物の補修方法によれば、ベースプレート３３からの雄ねじ部３１ａの突出長さが短い場合でも、緩み止めナット１のコイルばね２０および本体１０の雌ねじ部１５をアンカーボルト３１の雄ねじ部３１ａに螺合させて、十分な掛かり長さを確保することができると共に、緩み止めナット１の緩みを、コイルばね２０の作用によって確実に防止することができる。
【００２２】
緩み止めナット１の締結作業中は、コイルばね２０の開放操作部２２を、コイル径を広げるように本体１０の外周面に沿って移動させることにより、コイルばね２０の先端側が雄ねじ部３１ａから離れるため、緩み止めナット１を緩める方向に容易に回動させることができる。したがって、緩み止めナット１の締結作業中にこじれが生じる等した場合に、開放操作部２２を操作しながら緩み止めナット１を緩めることにより、締め直しを容易に行うことができるので、作業性を向上させることができる。
【００２３】
開放操作部２２は、本実施形態のように、フランジ部１２に形成された切欠部１４に配置されていることが好ましく、これによって、締結作業中または締結作業後のいつでも開放操作部２２を操作して、緩み止めナット１を緩めることができる。本実施形態においては、円筒部１３の外周面にも切欠部が形成されているが、ベースプレート３３の貫通孔３３ａの内壁面と、円筒部１３の外周面との間に十分な隙間が存在する場合には、円筒部１３に切欠部を形成しなくてもよい。
【００２４】
また、図５および図６に示すように、本体１０の円筒部１３の端面を、周方向に沿って少なくとも一部切り欠くことにより、コイルばね２０の基端側を収容可能な溝状の収容部１６を形成してもよい。このように構成された本体１０を備える緩み止めナットによれば、締結作業を行う際に、コイルばね２０の変形を抑制してコイルばね２０が本体１０から外れ難くなるため、作業性が向上すると共に、締結後の緩みを確実に防止することができる。
【００２５】
収容部１６を構成する内壁１７および外壁１８の間隔は、コイルばね２０を挟持可能な大きさに設定されることが好ましい。収容部１６の底面からの外壁１８の高さは、収容部１６の底面からの内壁１７の高さよりも若干(例えば１ｍｍ程度）高いことが好ましく、これによって、本体１０からのコイルばね２０の脱落をより確実に防止することができる。外壁１８が内壁１７の端面よりも突出する部分は、内方側に若干折り曲げてもよい。
【符号の説明】
【００２６】
１  緩み止めナット
１０  本体
１２  フランジ部
１４  切欠部
１５  雌ねじ部
２０  コイルばね
２１  折り返し部
２２  開放操作部
３０  基礎コンクリート
３０ａ  設置面
３１  アンカーボルト
３１ａ  雄ねじ部
３２  構造物
３３  ベースプレート
３３ａ  貫通孔
３４  ナット
【図１】
2020070810.tif 000003
【図２】
2020070810.tif 000004
【図３】
2020070810.tif 000005
【図４】
2020070810.tif 000006
【図５】
2020070810.tif 000007
【図６】
2020070810.tif 000008